(57)【特許請求の範囲】
【請求項１】
比例ソレノイドからの入力の増加に伴ってリリーフ設定圧力を連続して最高圧力から最低圧力に制御する比例電磁式のリリーフ弁において、ケース内に、入力ポートと、戻りポートと、上記入力ポートと戻りポートに連通する弁孔と、上記弁孔内に摺動自在に挿入されて上記入力ポートと戻りポートとを連通または遮断させる弁体と、上記弁体の一側に当接する主ばねとピン部材と、上記主ばねとピン部材を支持する移動自在な調整ねじ杆と、上記ピン部材の背面側に隔成された受圧室と、上記弁体の他側に上記主ばねと対向して設けられた比例ソレノイドと、上記入力ポートと上記戻りポートと上記受圧室にそれぞれ入力ポート側通路と、戻りポート側通路と、受圧室側通路とを介して連通する小孔と、上記小孔内に摺動自在に挿入されて上記受圧室側通路を上記入力ポート側通路又は戻りポート側通路に選択的に連通又は遮断させるスプールと、上記スプールの一側に設けたミニソレノイドと、同じく上記スプールの他側に上記ミニソレノイドに対向して設けた小ばねとを介装させて構成したことを特徴とする比例電磁式リリーフ弁。
【請求項２】
小孔に摺動自在に嵌挿したスプールと、小孔の一端を密封し前記スプールの他側に設けた小ばねを案内するプラグと、上記スプールの一側に設けたミニソレノイドとで３ポート２位置切換弁を構成させている請求項１に記載の比例電磁式リリーフ弁。
【請求項３】
ミニソレノイドの電磁コイルと比例ソレノイドの電磁コイルとを直列に接続したことを特徴とする請求項１又は２に記載の比例電磁式リリーフ弁。
【発明の詳細な説明】
【０００１】
【発明の属する技術分野】
この発明は、鉄道車両のサスペンションに関し特に、比例ソレノイドからの入力に基づいてリリーフ設定圧力を最高圧力と最低圧力の間で可変制御できる、例えば、車両の横揺れ制振用ダンパ等への使用に好適な比例電磁式リリーフ弁に関する。
【０００２】
【従来の技術】
従来、鉄道車両の制振用ダンパとしては、その減衰力発生回路に固定リリーフ弁を用いたものが知られているが、しかし、より効果的に車両の揺れを防止するためには、制御要素を加えてダンパの発生減衰力を制御することが考えられ、その制御においては、発生減衰力を通常の固定リリーフ弁を用いたダンパに対して、車両振動の入力状態により任意に大きく、または小さくする必要がある。  その為には減衰力発生回路に固定リリーフ弁に対して設定圧力を任意に高圧、及び低圧に可変できる比例電磁式リリーフ弁を用いる方法が考えられている。
【０００３】
この種の比例電磁式リリーフ弁としては、図８に示すように、ケ−ス１に設けられた大径孔２にシール部材１６でシールされるとともに調整可能に螺挿する調整ねじ杆１７と、大径孔２に設けた弁座１２に着座して入力ポート９と戻りポート６間を断続するように嵌挿される弁体１４と、調整ねじ杆１７と弁体１４との間に装着されるリリーフ圧力設定用の主ばね２６と、リリーフ圧力設定用の主ばね２６と対抗する方向に作用するよう弁体１４に係合するプランジャ３３を有する比例ソレノイドＳをシール部材２８でシールしてケース１に配設した構成からなり、予め適用機器への使用条件に応じて所望の最高圧力に設定したリリーフ圧力設定用の主ばね２６で弁体１４を弁座１２へと押付け、この閉弁状態に保った弁体１４に対して比例ソレノイドＳからの入力をリリーフ圧力設定用の主ばね２６と対抗する方向から加えて、比例ソレノイドＳからの入力の増加に伴いリリーフ設定圧力を連続して最高圧力から最低圧力に制御するようした比例電磁式リリーフ弁Ｖがある。
【０００４】
そして、比例ソレノイドＳの非通電時は、入力ポート９側の圧力Ｐが弁体１４に作用し、弁体１４の受ける力ｆ１が主ばね２６のばね力ｆ３より大きくなると、弁体１４が開き、流体が戻りポート６側に流出されるため、入力ポート９側の圧力Ｐが低下し、弁体１４の受ける軸方向の力が小さくなると、主ばね２６が弁体１４を閉じるため、入力ポート９側の圧力Ｐが流量Ｑに対して、図９に示すように、一定に保たれる。
【０００５】
また、比例ソレノイドＳの通電時は、入力ポート９側の圧力Ｐが弁体１４に作用する力ｆ１に比例ソレノイドＳによる押力ｆ４が加算（ｆ１＋ｆ４）されるため、非通電時よりもリリーフ設定圧力を下げることができ、一定のストローク間で比例ソレノイドＳに通電する電流に対してほぼ比例した推力が得られるから、比例ソレノイド電流Ｉを変化させることによりリリーフ設定圧力Ｐを、図１０に示すように、最低圧力から最高圧力までの間で圧力を制御するようにしている。
【０００６】
このように、比例ソレノイドＳからの入力の増加に伴い、リリーフ圧力設定用の主ばね２６のばね力ｆ３を見掛け状低下させてリリーフ設定圧力を最高圧力から最低圧力の間で連続して制御するようにしたものが知られている。
【０００７】
また、図示しないが、上記とは反対に、予め、最低圧力に調整して設定したリリーフ圧力設定用の主ばね２６のばね力ｆ３をフォローする側に向って比例ソレノイドＳからの押力ｆ４を加えるようにすると、主ばねのばね力ｆ３と比例ソレノイドＳからの押力ｆ４との合力（ｆ３＋ｆ４）により弁体１４を弁座１２へと押し付けて、圧力Ｐによる弁体１４の受ける力ｆ１が合力（ｆ３＋ｆ４）より大きくなると、弁体１４が開き、流体が戻りポート６側に流出されるため、入力ポート９側の圧力が低下し、弁体１４に作用する軸力が小さくなると、弁体１４を閉じるため、入力ポート９側の圧力Ｐが流量Ｑに対して、図１１に示すように、一定に保たれる。
【０００８】
そして、この状態の下で、比例ソレノイド電流Ｉを増大させることによりリリーフ設定圧力Ｐを、図１２に示すように、最低圧力から最高圧力までの間で圧力を制御するようにしたものも知られている。
【０００９】
【発明が解決しようとする課題】
しかしながら、これらの比例電磁式リリーフ弁にあっては、制御機器等の故障やその他何等かの理由によって比例ソレノイドがオフ状態になったときに、弁体に対する比例ソレノイドからの入力が零となって、リリーフ圧力設定用の主ばねのばね力のみにより弁体を弁座へと押し付けて閉弁状態を保つことになり、このため、前者の比例電磁式リリーフ弁では、その時のリリーフ設定圧力が予めリリーフ圧力設定用の主ばねで設定した最高圧力へと戻り、比例電磁式リリーフ弁を適用した装置が通常必要とする平均的な制御力を越えて最大制御力を発生させてしまうという不都合があった。
【００１０】
また、後者の比例電磁式リリーフ弁では、上記した前者の比例電磁式リリーフ弁とは逆に、予めリリーフ圧力設定用の主ばねで設定した最低圧力へと戻ることになるので、場合によっては、装置の性能を充分に発揮し得なくなるという不都合を有すると言う問題があった。
【００１１】
そこで、この発明は、上記した事情を鑑みて創案されたものであって、その目的とするところは、比例ソレノイドのオフ時におけるリリーフ設定圧力を最高圧力よりも低くかつ比例ソレノイドからの最大入力で決まる最低圧力よりも高い任意の中間のリリーフ設定圧力に自由に設定することで装置の制御力を通常必要とする平均値にすることのできる新規の構成を備えた比例電磁式リリーフ弁を提供することである。
【００１２】
【課題を解決するための手段】
上記の目的を達成するため、本発明の手段は、比例ソレノイドからの入力の増加に伴ってリリーフ設定圧力を連続して最高圧力から最低圧力に制御する比例電磁式のリリーフ弁において、ケース内に、入力ポートと、戻りポートと、上記入力ポートと戻りポートに連通する弁孔と、上記弁孔内に摺動自在に挿入されて上記入力ポートと戻りポートとを連通または遮断させる弁体と、上記弁体の一側に当接する主ばねとピン部材と、上記主ばねとピン部材を支持する移動自在な調整ねじ杆と、上記ピン部材の背面側に隔成された受圧室と、上記弁体の他側に上記主ばねと対向して設けられた比例ソレノイドと、上記入力ポートと上記戻りポートと上記受圧室にそれぞれ入力ポート側通路と、戻りポート側通路と、受圧室側通路とを介して連通する小孔と、上記小孔内に摺動自在に挿入されて上記受圧室側通路を上記入力ポート側通路又は戻りポート側通路に選択的に連通又は遮断させるスプールと、上記スプールの一側に設けたミニソレノイドと、同じく上記スプールの他側に上記ミニソレノイドに対向して設けた小ばねとを介装させて構成したことを特徴とするものである。
【００１３】
この場合、小孔に摺動自在に嵌挿したスプールと、小孔の一端を密封し前記スプールの他側に設けた小ばねを案内するプラグと、上記スプールの一側に設けたミニソレノイドとで３ポート２位置切換弁を構成させルのが好ましい。
【００１４】
同じく、 ミニソレノイドの電磁コイルと比例ソレノイドの電磁コイルとを直列に接続するのが好ましい。
【００１５】
【発明の実施の形態】
以下、図面に基づいて本発明の実施の形態について説明するに、前記従来例と同一の構成要素に対しては同一の名称、符号を付して説明する。
本発明の比例電磁式リリーフ弁は、図1に示すように、比例ソレノイドからの入力の増加に伴ってリリーフ設定圧力を連続して最高圧力から最低圧力に制御するものであって、ケース1内に、入力ポート９と、戻りポート６と、上記入力ポート９と戻りポート６に連通する弁孔と、上記弁孔内に摺動自在に挿入されて上記入力ポート９と戻りポート６とを連通または遮断させる弁体１４と、上記弁体１４の一側に当接する主ばね２６とピン部材２２と、上記主ばね２６とピン部材２２を支持する移動自在な調整ねじ杆１７と、上記ピン部材２の背面側に隔成された受圧室Ｅと、上記弁体１４の他側に上記主ばね２６と対向して設けられた比例ソレノイドＳと、上記入力ポート９と上記戻りポート６と上記受圧室Ｅにそれぞれ入力ポート側通路４４と、戻りポート側通路４３と、受圧室側通路４５とを介して連通する小孔３５と、上記小孔３５内に摺動自在に挿入されて上記受圧室側通路４５を上記入力ポート側通路４４又は戻りポート側通路４３に選択的に連通又は遮断させるスプール４２と、上記スプール４２の一側に設けたミニソレノイドｓと、同じく上記スプール４２の他側に上記ミニソレノイドｓに対向して設けた小ばね４７とを介装させて構成している。
以下更に詳しく説明する。
【００１６】
この実施の形態に関わる比例電磁式リリ−フ弁Ｖにあって、図１に示すように、１はケースで、ケース内を貫通する大径孔２、中径孔３、小径孔４、段部５等からなる弁孔が成形してあり、大径孔２は戻りポート６とオリフィス７を設けた通路８を介して、また、中径孔３は入力ポート９と通路１０を介してそれぞれ連通している。
【００１７】
小径孔４には可動可能に嵌挿するラビリンスを設けた嵌合部１１を有するとともに、段部５に形成される弁座１２に着座する弁部１３とからなる弁体１４が装着されている。
【００１８】
大径孔２には大径孔２の端に設けたねじ部１５に螺合しシール部材１６でシールされた調整ねじ杆１７が調整可能に嵌挿され、ナット１８でロックされるようになっている。
【００１９】
調整ねじ杆１７にはシール部材１６でシールされた環状溝１９と、この環状溝１９に連通する穴２０と小径部２１とが成形されており、穴２０には小ばね２３に付勢されて前記弁体１４に係合するように摺動自在にピン部材２２が嵌挿され、ピン部材２２により受圧室Ｅが画成される。
【００２０】
調整ねじ杆１７の小径部２１に案内され調整ねじ杆１７の段部２４と弁体１４の凸部２５に係合するリリーフ圧力設定用の主ばね２６が装着されており、調整ねじ杆１７を調整することにより主ばね２６のばね長を変えて、ばね力を変更することができる。
【００２１】
ケース１の他端に設けた凹部２７に嵌挿するとともにシール部材２８でシールされた比例ソレイドＳが図示しないボルト等の締結手段によって装着してある。
【００２２】
比例ソレノイドＳは、ボディ２９内に設けた孔３０内を摺動自在に嵌挿する可動鉄芯３１と、可動鉄芯３１に締結し軸受部材３２に支承され可動するプランジャ３３と、電磁コイル３４からなり、電磁コイル３４に供給される電流値に応じて可動鉄芯３１を介してプランジャ３４に電磁による押力を発生させ、前記弁体１４に押力を伝動するようにしてある。
【００２３】
一方、ケース１の上方側に設けた小孔３５の一端側に設けたねじ部３６に螺合しシール部材３７でシールされたプラグ３８が取り付けられており、他方側にはミニソレノイドｓがシール部材４０でシールされて取り付けられている。
【００２４】
小孔３５内には小ばね４１に付勢され摺動自在に嵌挿するスプール４２が装着され、前記戻りポート６と入力ポート９とに連通する通路４３，４４と環状溝１９を介して受圧室Ｅとに連通するように設けた通路４５とを断続するようにした切換弁ｖが設けられている。
【００２５】
ミニソレノイドｓは、小ボディ４６内に設けた穴４７内を摺動自在に嵌挿する小可動鉄芯４８と、小可動鉄芯４８に締結し可動する小プランジャ４９と、電磁コイル５０とからなり、電磁コイル５０に供給される微少電流により小可動鉄芯４８を介して小プランジャ４９に電磁力による押力を発生させ、前記スプール４２に押力を伝動して、スプール４２をＯＮ−ＯＦＦ的に切り換える。
【００２６】
次に、弁体１４に作用する力の関係についてみるに、弁体１４とピン部材２２の受圧部の関係寸法は、図２に示すように、弁体１４の摺動部１１の直径をＤ１、弁部１３が弁座１２に着座する直径をＤ２、ピン部材２２の直径をＤ３とし、また、入力ポート９側の圧力をＰとすると、弁体１４が入力ポート９側の圧力Ｐを受けたときに作用する力はｆ１＝（Ｄ２２−Ｄ１２）×π×Ｐ÷４、ピン部材２
２が入力ポート９側の圧力Ｐを受けたときに作用する力はｆ２＝Ｄ３2 ×π×Ｐ÷４、そして、主ばね２６によるばね力をｆ３、比例ソレノイドＳの電磁力による押力をｆ４とすると、非通電時では、弁体１４に作用する力Ｆの関係は、Ｆ＝ｆ３−ｆ１、通電時では、弁体１４に作用する力Ｆの関係は、Ｆ＝ｆ２＋ｆ３−ｆ１−ｆ４となっている。
【００２７】
比例ソレノイドＳの電磁コイル３４とミニソレノイドｓの電磁コイル５０とは、図３に示すように、ケーブル５１を介して直列に接続されている。
【００２８】
次に、以上のように構成した図１の実施の形態による比例電磁式リリーフ弁の作用について説明する。
【００２９】
ここで、今、比例電磁式リリーフ弁Ｖにおけるリリーフ設定圧力の圧力の調整は、先ず、調整ねじ杆１７のねじ部１５に螺合しているナット１８を緩めて、調整ねじ杆１７をねじ回して  調整ねじ杆１７の段部２４と弁体１４との間に介装したリリーフ圧力設定用の主ばね２６のばね長を変えて、ばね力ｆ３を所望の値にして、調整ねじ杆１７をナット１８でロックすることで固定リリーフ圧力の設定が行なわれる。
【００３０】
まず、比例ソレノイドＳ、ミニソレノイドｓが非通電時には、図４に示すように、比例ソレノイドＳによる弁体１４への押力ｆ４は一切発生せず、また、ミニソレノイドｓも作動せずにノーマルな状態にあり、ピン部材２２の背面の受圧室Ｅは戻りポート６の低圧側に連通していて、ピン部材２２を介して弁体１４へ押力を付加することもなく、入力ポート９側の圧力Ｐが弁体１４に作用し、圧力Ｐにより弁体１４が受ける力ｆ１が主ばね２６のばね力ｆ３より大きく（ｆ１＞ｆ３）なると、弁体１４が開き、油が戻りポート６側に流れて入力ポート９側の圧力Ｐが低下し、弁体１４に作用する力Ｆが小さくなって、主ばね２６により弁体１４を閉じて、入力ポート９側の圧力Ｐを常に一定の固定リリーフ圧力に保たれる。
【００３１】
一方、この状態からの使用に際し、比例ソレノイドＳ、ミニソレノイドｓの通電時には、図５に示すように、比例ソレノイドＳ、ミニソレノイドｓに微少電流が流れると、ミニソレノイドｓが微少電流により小可動鉄心４８に締結した小プランジャ４９を作動させスプール４２を切換え、スプール４２を介して受圧室Ｅに連通する通路４５を戻りポート６へ連通する通路４３から入力ポート９へ連通する通路４４に切り換える。
【００３２】
スプール４２が切り換わると、受圧室Ｅには入力ポート９側からの回路圧力Ｐが当該スプール４２を介して導かれてピン部材２２に作用し、リリーフ圧力設定用の主ばね２６のばね力ｆ３に同一方向にピン部材２２に働く力ｆ２が加わり（ｆ３＋ｆ２）、弁体に作用する力Ｆは（ｆ３＋ｆ２−ｆ１）となり、弁体１４を押圧することになるため、前記非通電時における主ばね２６のばね力ｆ３による場合の固定リリーフ圧力Ｐｍより高い最高制御圧力Ｐｈにリリーフ設定圧力を、図６に示すように、保持する。
【００３３】
そして、上記した状態からさらに比例ソレノイドＳに印加する電流値Ｉを増やしていくと、それにほぼ比例して弁体１４を押圧する比例ソレノイドからの押力ｆ４が増大していき、弁体１４に作用する力Ｆは（ｆ３＋ｆ２−ｆ１−ｆ４）となり、リリーフ設定圧力は、暫時最低圧力へ向かって連続的に低下して、最大電流値では、図７に示すように、最低制御圧力Ｐｌを保持するようになっている。
【００３４】
そして、作動中において、制御機器の故障やその他の何等かの理由によりミニソレノイドｓ、比例ソレノイドＳがオフの状態になったとすると、切換弁ｖにあっては、切換弁ｖのスプール４２が小ばね４１に付勢されて元の位置に切り換わり、スプール４２を介して受圧室Ｅに連通する通路４５を入力ポート９側へ連通する通路４４から戻りポート６側へ連通する通路４３に切り換える。
【００３５】
スプール４２が切り換わると、受圧室Ｅは戻りポート６に連通する通路４３と連通して、受圧室Ｅに導入されていた入力ポート９側の回路圧力Ｐが当該スプール４２を介して戻りポート６の低圧側に流出し、リリーフ圧力設定用ばね２６のばね力ｆ３と同一方向にピン部材２２で弁体１４を押圧するように作用していた押力ｆ２がなくなるとともに、他方、比例ソレノイドＳからの弁体１４に作用する押力ｆ４もなくなり、弁体１４に作用する力Ｆは（ｆ３−ｆ１）となり、弁体１４にはリリーフ設定用の主ばね２６のばね力ｆ３のみが作用する。
【００３６】
この状態は、先に述べた非通電時における固定リリーフ設定圧力の時と全く同じであり、そのときのリリーフ設定圧力は、最高制御圧力Ｐｈよりも低くかつ比例ソレノイドＳからの最大入力で決まる最低制御圧力Ｐｌよりも高い中間圧力Ｐｍとなる。
【００３７】
このように、調整ねじ杆１７に成形した穴２０に小ばね２３で付勢され摺動可能に嵌挿して弁体１４と係合するピン部材２２と、調整ねじ杆１７に成形された穴２０内にピン部材２２により画成される受圧室Ｅと、当該受圧室Ｅへ戻りポート６と入力ポート９への連通４３、４４を切り換える切換弁ｖを介装するようにしたので、通常の作動時にあっては比例電磁式リリーフ弁Ｖとしての所定の制御を行ないながら、しかも、制御機器等の故障やその他何等かの不具合で比例ソレノイドＳおよびミニソレノイドｓがオフになったときのリリーフ設定圧力を最高制御圧力Ｐｈよりも低く、かつ比例ソレノイドＳからの最大入力で決まる最低制御圧力Ｐｌよりも高い任意の中間圧力Ｐｍに保って、装置が必要とする最小制御力を確保しつつ、装置としての性能を充分に発揮できるとともに装置の故障に対する安全対策としても大変貢献できる。
【００３８】
また、切換弁ｖを、ケース１内に成形した小孔３５に摺動自在に嵌挿されるスプール４２と、小孔３５の一端を密封し前記スプール４２に付勢する小ばね４１を案内するプラグ３８と、スプール４２に対して開き方向への力を作用するよう小孔３５端に配設するミニソレノイドｓとからなる３ポート２位置切換弁にしたので、スプール４２は圧力的にバランスしていて、かつ、受圧室Ｅへの通過流量は微少なためそれに伴う流体力の影響がほとんどないため、バルブ切換えに要する操作力も僅かでよく、ミニソレノイドｓの吸着力も小さくできるので、ソレノイドの小型化が可能である。
【００３９】
さらに、比例ソレノイドＳのコイル３４と切換弁ｖのミニソレノイドｓのコイル５０とを直列に接続したので、ミニソレノイドｓの作動に特別な制御を必要とせず、制御装置が簡素化でき、低コスト化が図れるとともに、比例ソレノイドＳと切換弁ｖのミニソレノイドｓのどちらか一方のコイル３４あるいは５０が断線した場合にも、自動的に非通電時と同じ状態となり、フェールセイフにも役立てることができる。
【００４０】
本発明の比例電磁式リリーフ弁Ｖは、例えば、図１３に示すように、鉄道車両の横揺れ制振用ユニフロータイプのダンパＤにおいて、ピストンｃにより区画される油室ａ，ｂを連通する減衰力発生管路ｔにフィルタｈ、固定絞りｉ、リザーバｊ、チェック弁ｋを配設し、前記固定絞りｉの高圧側をリリーフ弁Ｖのケース１設けた入力ポート９に管路ｔ１を介して連通し、かつ、戻りポート６を管路ｔ２を介して低圧側へと連通して使用し、通常の固定リリーフ弁を用いたダンパに対して比例電磁式リリーフ弁Ｖの設定圧力を任意に高圧、及び低圧に可変して、ピストンロッドｄの伸縮に伴いダンパＤに発生する減衰力を任意に制御することができる。
【００４１】
【発明の効果】
請求項１の発明によれば、比例ソレノイドからの入力の増加に伴ってリリーフ設定圧力を連続して最高圧力から最低圧力に制御する比例電磁式のリリーフ弁において、ケース内に、入力ポートと、戻りポートと、上記入力ポートと戻りポートに連通する弁孔と、上記弁孔内に摺動自在に挿入されて上記入力ポートと戻りポートとを連通または遮断させる弁体と、上記弁体の一側に当接する主ばねとピン部材と、上記主ばねとピン部材を支持する移動自在な調整ねじ杆と、上記ピン部材の背面側に隔成された受圧室と、上記弁体の他側に上記主ばねと対向して設けられた比例ソレノイドと、上記入力ポートと上記戻りポートと上記受圧室にそれぞれ入力ポート側通路と、戻りポート側通路と、受圧室側通路とを介して連通する小孔と、上記小孔内に摺動自在に挿入されて上記受圧室側通路を上記入力ポート側通路又は戻りポート側通路に選択的に連通又は遮断させるスプールと、上記スプールの一側に設けたミニソレノイドと、同じく上記スプールの他側に上記ミニソレノイドに対向して設けた小ばねとを介装させて構成したから、通常の作動時にあっては比例電磁式リリーフ弁としての所定の制御を行ないながら、しかも、制御機器等の故障やその他何等かの不具合でソレノイドがオフになったときのリリーフ設定圧力を最高制御圧力よりも低く、かつソレノイドからの最大入力で決まる最低制御圧力よりも高い任意の中間圧力に保って装置が必要とする最小制御力を確保しつつ、装置としての性能を充分に発揮することができるとともに装置の故障に対する安全対策として大変貢献できる効果がある。
【００４２】
請求項２の発明によれば、小孔に摺動自在に嵌挿したスプールと、小孔の一端を密封し前記スプールの他側に設けた小ばねを案内するプラグと、上記スプールの一側に設けたミニソレノイドとで３ポート２位置切換弁を構成させているので、スプールは圧力的にバランスしていて、かつ、受圧室への通過流量は微少なためそれに伴う流体力の影響がほとんどないため、バルブ切換えに要する操作力も僅かでよく、ミニソレノイドの吸着力も小さくできるので、ソレノイドの小型化が可能となる効果がある。
【００４３】
請求項３の発明によれば、 ミニソレノイドの電磁コイルと比例ソレノイドの電磁コイルとを直列に接続したので、ミニソレノイドの作動に特別な制御を必要とせず、制御装置が簡素化でき、低コスト化が図れるとともに、比例ソレノイドとミニソレノイドのどちらか一方のコイルが断線した場合にも、自動的に非通電時と同等となり、フェールセイフにも役立てることができる効果がある。
【図面の簡単な説明】
【図１】本発明の実施の形態を示す比例電磁式リリーフ弁の正面断面図である。
【図２】同じく図１における本発明の比例電磁式リリーフ弁の弁体とピンの拡大図である。
【図３】同じく図１における本発明の比例電磁式リリーフ弁のソレノイドの結線図である。
【図４】同じく本発明の比例電磁式リリーフ弁の非通電時おける作動を説明する説明図である。
【図５】同じく本発明の比例電磁式リリーフ弁の通電時おける作動を説明する説明図である。
【図６】同じく本発明の比例電磁式リリーフ弁のリリーフ圧力と流量との関係を示す特性図である。
【図７】同じく本発明の比例電磁式リリーフ弁のリリーフ圧力とソレノイド電流との関係を示す特性図である。
【図８】従来例を示す比例電磁式リリーフ弁を示す正面断面図である。
【図９】同じく従来例を示す比例電磁式リリーフ弁におけるリリーフ圧力と流量との関係を示す特性図である。
【図１０】同じく従来例を示す比例電磁式リリーフ弁におけるリリーフ圧力とソレノイド電流との関係を示す特性図である。
【図１１】同じく従来例を示す比例電磁式リリーフ弁におけるリリーフ圧力と流量との関係を示す特性図である。
【図１２】同じく従来例を示す比例電磁式リリーフ弁におけるリリーフ圧力とソレノイド電流との関係を示す特性図である。
【図１３】本発明の比例電磁式リリーフ弁を制振用ダンパに適用した実施例を示す構成図
である。
【符号の説明】
１  ケース
２  大径孔
３  中径孔
４  小径孔
５  段径部
６  戻りポート
８，１０  通路
９  入力ポート
１１  摺動部
１２  弁座
１３  弁部
１４  弁体
１５，２４  段部
１６，２８，３７，４０  シール部材
１７  調整ねじ杆
１８  ナット
１９  環状溝
２０  穴
２１  段径部
２２  ピン部材
２３  小ばね
２５  凸部
２６  主ばね
２７  凹部
２９，４６  ボディ
３０  孔
３１  小可動鉄心
３２  軸受部材
３３  プランジャ
３４，５０  コイル
３５，４７  小孔
３６  ねじ部
３８  プラグ
４１  小ばね
４２  スプール
４３，４４，４５  通路
４６  ボディ
４８  小可動鉄心
４９  小プランジャ
５１  ケーブル
ａ，ｂ  油室
ｃ  ピストン
ｄ  ピストンロッド
ｆ１  圧力Ｐによる弁体の受ける力
ｆ２  圧力Ｐによるピン部材の受ける
ｆ３  主ばねのばね力
ｆ４  比例ソレノイドの押力
ｈ  フィルタ
ｉ  固定絞り
ｊ  リザーバ
ｋ  チェック弁
ｓ  ミニソレノイド
ｔ  減衰力発生管路
ｔ１，ｔ２  管路
ｖ  切換弁
Ｄ  ダンパ
Ｅ  受圧室
Ｆ  弁体に作用する力
Ｉ  電流値
Ｐ  入力ポート側の圧力
Ｐｈ  最高制御圧力
Ｐｌ  最低制御圧力
Ｐｍ  中間圧力
Ｓ  比例ソレノイド
Ｖ  比例電磁式リリーフ弁
【図１】
0003943276.tif 000002
【図２】
0003943276.tif 000003
【図３】
0003943276.tif 000004
【図４】
0003943276.tif 000005
【図５】
0003943276.tif 000006
【図６】
0003943276.tif 000007
【図７】
0003943276.tif 000008
【図８】
0003943276.tif 000009
【図９】
0003943276.tif 000010
【図１０】
0003943276.tif 000011
【図１１】
0003943276.tif 000012
【図１２】
0003943276.tif 000013
【図１３】
0003943276.tif 000014